(57)【要約】【課題】印刷出力色により受信文書の仕分けを行なうことができるファクシミリ装置を提供する。【解決手段】通信手段（ＣＣＵ１０４）により受信した画情報中に含まれる画像データを伸張手段（ＤＣＲ１０５）により伸張し、伸張された画像データを画像データ蓄積手段（ページメモリ１０７）に蓄積し、印刷色設定手段により通信手段により受信した画情報中に指定された通常解像度印刷時出力色を設定する。そして、通信手段により受信した画情報中に、画像を精細解像度で印刷する精細解像度印刷指定情報が含まれているか否かを精細解像度情報検出手段により検出し、精細解像度情報検出手段が精細解像度印刷指定情報を検出したときは、印刷色設定手段に設定された通常解像度印刷時出力色を、画情報中に指定された精細解像度印刷時出力色に設定変更する。【選択図】　　　　図１
2004032382.tif 000002
【特許請求の範囲】
【請求項１】
受信画像データを蓄積する画像データ蓄積手段と、
前記画像データ蓄積手段に蓄積された画像データにかかる画像を通常解像度または精細解像度で印刷する印刷手段と、
前記通信手段により受信した画情報中に指定された通常解像度印刷時出力色を取り出して設定する印刷色設定手段と、
前記通信手段により受信した画情報中に、画像を精細解像度で印刷する精細解像度印刷指定情報が含まれているか否かを検出する精細解像度情報検出手段と、
前記精細解像度情報検出手段が前記精細解像度印刷指定情報を検出したときは、印刷色設定手段に設定された通常解像度印刷時出力色を、前記画情報中に指定された精細解像度印刷時出力色に設定変更する、
ことを特徴とする色仕分け機能付きファクシミリ装置。
【請求項２】
受信した画像データを蓄積する画像データ蓄積手段と、
前記画像データ蓄積手段に蓄積された画像データにかかる画像を通常解像度または精細解像度で印刷する印刷手段と、
前記通信手段により受信した画情報中に指定された通常解像度印刷時出力色を取り出して設定する印刷色設定手段と、
前記通信手段により受信した画情報中に、画像を精細解像度で印刷する精細解像度印刷指定情報が含まれているか否かを検出する精細解像度情報検出手段と、
前記精細解像度情報検出手段が前記精細解像度印刷指定情報を検出したときは、印刷色設定手段に設定された出力色を、当該出力色とは異なる出力色に設定変更する、
ことを特徴とする色仕分け機能付きファクシミリ装置。
【請求項３】
受信した画像データを蓄積する画像データ蓄積手段と、
前記画像データ蓄積手段に蓄積された画像データにかかる画像を通常解像度または精細解像度で印刷する印刷手段と、
出力色を通常解像度印刷時出力色に設定する印刷色設定手段と、
前記通信手段により受信した画情報中に、画像を精細解像度で印刷する精細解像度印刷指定情報が含まれているか否かを検出する精細解像度情報検出手段と、
前記精細解像度情報検出手段が前記精細解像度印刷指定情報および出力色変更情報を検出したときは、印刷色設定手段に設定された通常解像度印刷時出力色を、当該通常解像度印刷時出力色とは異なる精細解像度印刷時出力色に設定変更する、
ことを特徴とする色仕分け機能付きファクシミリ装置。
【請求項４】
送信する画情報にかかる画像が精細解像度画像であるときは、画情報中に通常解像度印刷時出力色と精細解像度印刷指定情報とを含めて送信することを特徴とする色仕分け機能付きファクシミリ装置。
【請求項５】
送信する画情報にかかる画像が精細解像度画像であるときは、画情報中に通常解像度印刷時出力色とは異なる色での印刷を指示する出力色変更情報を含めて送信することを特徴とする色仕分け機能付きファクシミリ装置。
【発明の詳細な説明】
【０００１】
【発明の属する技術分野】
本発明は、印刷出力色により受信文書の仕分けを行なうことができるファクシミリ装置に関する。
【０００２】
【従来の技術】
ファクシミリ受信出力時の仕分け方法として、たとえば、（Ａ）特開平０８−１６７９６７号公報に示すように、相手先ごとに給紙トレイを変え、転写紙のサイズの違いにより仕分けるもの、（Ｂ）特開平０９−１７２５１７号公報に示すように、相手先ごとに排紙箇所を変え、仕分けるもの、（Ｃ）特開平１０−２６４４８４号公報に示すように、異なった色の転写紙をセットし、転写紙の色の違いにより仕分けるものが知られている。
【発明が解決しようとする課題】
【０００３】
しかし、（Ａ）の方法では、画像と出力用紙のサイズとが一致しないケースがあり、（Ｂ）の方法では、複数の排紙先を持った大掛かりな装置もしくは一つの排紙先上での排紙位置制御などが必要であり、（Ｃ）の方法では、その都度複数種類の出力用紙を準備する必要があった。
【０００４】
本発明はこの点に鑑みてなされたものであり、その目的は、出力時の制約を極力なくし、複雑な装置や制御手順なしに、スマートな出力用紙の仕分け方法を提案するとともに、精細解像度印刷モードで印刷を行なう際に、そのモードで印刷が行なわれたことを容易にユーザに知らせることができるファクシミリ装置を提供することにある。
【０００５】
【課題を解決するための手段】
本発明の色仕分け機能付きファクシミリ装置（通常のファクシミリ装置、デジタル複合機を含む）は、回線を介して送られてくる画情報を受信する通信手段と、前記通信手段により受信した画情報中に含まれる画像データを伸張する伸張手段と、前記伸張手段により伸張された画像データを蓄積する画像データ蓄積手段と、前記画像データ蓄積手段に蓄積された画像データにかかる画像を通常解像度または精細解像度で印刷する印刷手段と、前記通信手段により受信した画情報中に指定された通常解像度印刷時出力色を設定する印刷色設定手段と、前記通信手段により受信した画情報中に、画像を精細解像度で印刷する精細解像度印刷指定情報が含まれているか否かを検出する精細解像度情報検出手段と、前記精細解像度情報検出手段が前記精細解像度印刷指定情報を検出したときは、印刷色設定手段に設定された通常解像度印刷時出力色を、前記画情報中に指定された精細解像度印刷時出力色に設定変更することを特徴とする。
【０００６】
本発明では、通信手段は、公衆回線から画情報をファクシミリ受信する。この画情報は、ページごとにヘッダと圧縮画像データとを含み、ヘッダには用紙サイズ情報、解像度情報、色情報等の情報が書き込まれている。伸張手段は、通常圧縮手段からなり、ソフトウェアにより構成することもできるし、ハードウェアにより構成することもできる。画像データ蓄積手段は、通常は、ＲＡＭであり、磁気記憶装置等の大容量記憶装置と併用することもできる。印刷手段は、高解像度と低解像度の印刷を行なうことができる。３種類以上の解像度印刷モードを備えたファクシミリ装置では、最高解像度が本発明の精細解像度であり、それ以下の解像度が、本発明の通常解像度である。印刷手段は、具体的には、レーザプリンタ、インクジェットプリンタであり、２色または３色以上の色出力ができる必要がある。印刷色設定手段は、出力色を、レジスタやメモリの設定領域に設定することができる。精細解像度情報検出手段は、画情報のヘッダ情報中から精細解像度印刷画像情報を検索することができる。
【０００７】
本発明では、精細解像度印刷が混在した受信した画像の印刷またはレポート印刷において、相手側から指定された出力色で出力することにより、相手側の都合に合せた状況にて精細解像度印刷が行なわれたページと行なわれていないページとを、容易にユーザに知らせることができる。
【０００８】
本発明の色仕分け機能付きファクシミリ装置は、回線を介して送られてくる画情報を受信する通信手段と、前記通信手段により受信した画情報中に含まれる画像データを伸張する伸張手段と、前記伸張手段により伸張された画像データを蓄積する画像データ蓄積手段と、前記画像データ蓄積手段に蓄積された画像データにかかる画像を通常解像度または精細解像度で印刷する印刷手段と、前記通信手段により受信した画情報中に指定された通常解像度印刷時出力色を設定する印刷色設定手段と、前記通信手段により受信した画情報中に、画像を精細解像度で印刷する精細解像度印刷指定情報が含まれているか否かを検出する精細解像度情報検出手段と、前記精細解像度情報検出手段が前記精細解像度印刷指定情報を検出したときは、印刷色設定手段に設定された出力色を、当該出力色とは異なる出力色に設定変更することを特徴とする。
【０００９】
本発明では、精細解像度印刷が混在した受信文書印刷またはレポート印刷において、受信データに精細解像度印刷時の出力色を盛り込むことなしに、相手側の都合に合せた状況にて精細解像度印刷が行なわれたページと行なわれていないページを、容易にユーザに知らせることができる。
【００１０】
さらに、発明の色仕分け機能付きファクシミリ装置は、回線を介して送られてくる画情報を受信する通信手段と、前記通信手段により受信した画情報中に含まれる画像データを伸張する伸張手段と、前記伸張手段により伸張された画像データを蓄積する画像データ蓄積手段と、前記画像データ蓄積手段に格納された画像データにかかる画像を通常解像度または精細解像度で印刷する印刷手段と、出力色を通常解像度印刷時出力色に設定する印刷色設定手段と、前記通信手段により受信した画情報中に、画像を精細解像度で印刷する精細解像度印刷指定情報が含まれているか否かを検出する精細解像度情報検出手段と、前記精細解像度情報検出手段が前記精細解像度印刷指定情報および出力色変更情報を検出したときは、印刷色設定手段に設定された通常解像度印刷時出力色を、当該通常解像度印刷時出力色とは異なる精細解像度印刷時出力色に設定変更することを特徴とする。
【００１１】
本発明では、精細解像度印刷が混在した受信文書印刷またはレポート印刷において、相手側から指定された出力色を変えるかどうかの情報に基づいて出力色を変えることにより、さらに相手側の都合に合せた状況にて精細解像度印刷が行なわれたページと行なわれていないページとを区分けしてユーザに知らせることができる。また、送信する画情報にかかる画像が精細解像度画像であるときは、画情報中に通常解像度印刷時出力色とは異なる色での印刷を指示する出力色変更情報を含めて送信することをも特徴とする。また、送信する画情報にかかる画像が精細解像度画像であるときは、画情報中に通常解像度印刷時出力色とは異なる色での印刷を指示する出力色変更情報を含めて送信することを特徴とする。
【００１２】
本発明のファクシミリ装置は、送信する画情報にかかる画像が精細解像度画像であるときは、画情報中に通常解像度印刷時出力色とは異なる色での印刷を指示する出力色変更情報を含めて送信することができる。また、送信する画情報にかかる画像が精細解像度画像であるときは、画情報中に通常解像度印刷時出力色とは異なる色での印刷を指示する出力色変更情報を含めて送信することを特徴とする。
【００１３】
【発明の実施の形態】
以下に、本発明の精細画像の色仕分け機能付きファクシミリ装置の一実施例を説明する。図１は、精細画像の色仕分け機能付きファクシミリ装置１１の全体構成図である。本実施形態では、ファクシミリ装置１１は、黒色トナーおよび赤色トナーを着色材として備えたレーザプリンタであるものとする。もちろん、このファクシミリ装置は、青色、緑色等、他の色のトナーを着色材として備えていてもよい。また、ファクシミリ装置１１は、インクジェット印字機構等のレーザ印字機構以外の他の機構を備えたものであってもよい。
【００１４】
図１においてファクシミリ装置１１は、装置全体を制御するＣＰＵ１０１と、色仕分け処理プログラムが格納されたＲＯＭ１０２と、色仕分け処理を行なうにあたっての一時的なデータを記憶するＲＡＭ１０３、通信手段としてのＣＣＵ１０４、復元手段としてのＤＣＲ１０５、印刷手段としてのプロッタ１０６、受信した画像データを格納するページメモリ１０７がそれぞれ内部バス１００に接続されている。また、ＣＣＵ１０４は外部回線２００と接続されている。
【００１５】
ＲＯＭ１０２の色仕分け処理プログラムには、印刷色選択プログラム、精細解像度印刷判断プログラムが含まれており、プロッタ１０６により印刷する際に、印刷画像に指定された色に対応した数値をプロッタ１０６のプリントエンジンに送出することで、出力色を指示することができる。
【００１６】
プロッタ１０６のプリントエンジンでは、指定された色のトナーを用いて印刷のシーケンスを実行するが、このエンジン側のシーケンスについては既知であるのでここでは説明しない。
【００１７】
受信した画情報中には画像データの他、解像度情報、通常解像度（精細解像度以下の解像度）での印刷に際しての出力色情報、精細解像度印刷での印刷に際して指定される精細印刷時指定出力色情報、精細解像度印刷時に出力色を変えるかどうかの出力色変更情報が含まれている。通常、解像度情報、出力色情報、精細印刷時指定出力色情報、出力色変更情報は、受信画情報のヘッダに書き込まれており、印刷色選択プログラムは当該ヘッダから上記情報を抽出する。なお、本実施形態では、ファクシミリ装置１１は、送信する画情報にかかる画像が精細解像度画像であるときは、画情報中に通常解像度印刷時出力色とは異なる色での印刷を指示する出力色変更情報を含めて送信することができ。また、送信する画情報にかかる画像が精細解像度画像であるときは、画情報中に通常解像度印刷時出力色とは異なる色での印刷を指示する出力色変更情報を含めて送信することができる。
【００１８】
解像度情報は、主走査８ｄｏｔ／ｍｍ、副走査４ｄｏｔ／ｍｍである通常解像度と、主走査８ｄｏｔ／ｍｍ、副走査８ｄｏｔ／ｍｍである精細解像度との二通りの値を取るものとする。
【００１９】
図１の第１実施形態を処理手順を図２のフローチャートにしたがって説明する。回線２００から画情報が受信されると（Ｓ１０１）まず、色仕分け処理プログラム中の印刷色選択プログラムが、ヘッダ中の出力色情報を読み取り（Ｓ１０２）、それを印刷色として設定し（Ｓ１０３）、プロッタ１０６のプリントエンジンに通知する（Ｓ１０４）。プロッタ１０６のプリントエンジンではこれ以降新たに印刷色が通知されない限りその色で印刷する。
【００２０】
次に、色仕分け処理プログラム中の精細解像度印刷判断プログラムが印刷するページが精細解像度印刷かどうかをチェックする（Ｓ１０５）。印刷するページが精細解像度印刷である場合には、画情報のヘッダ中の精細解像度印刷での出力色情報を読み取り（Ｓ１０６）、それを印刷色として設定し（Ｓ１０７）、プロッタ１０６のプリントエンジンに通知する（Ｓ１０８）。そして給紙（Ｓ１０９）、印刷（Ｓ１１０）、排紙（Ｓ１１１）を行ない、これを最終ページ目まで繰り返し（Ｓ１１２の「ＮＯ」）、その文書の印刷を終了して次の受信を待つ（Ｓ１１２の「ＹＥＳ」）。
【００２１】
ステップＳ１０６で設定が出力色を変えない設定である場合には、給紙（Ｓ１０９）、印刷（Ｓ１１０）、排紙（Ｓ１１１）を行ない、これを最終ページ目まで繰り返し（Ｓ１１２の「ＮＯ」）、その文書の印刷を終了して次の受信を待つ（Ｓ１１２の「ＹＥＳ」）。
【００２２】
図１の第２実施形態を処理手順を図３のフローチャートにしたがって説明する。本実施形態では、通常文書の出力色が赤に設定されていたときは精細解像度印刷での出力色を青とし、また通常文書の出力色が赤以外に設定されていたときは精細解像度印刷での出力色を赤とするものとする。
【００２３】
回線２００から画情報が受信される（Ｓ２０１）と、まず、色仕分け処理プログラム中の印刷色選択プログラムが、ヘッダ中の出力色情報を読み取り（Ｓ２０２）、それを印刷色として設定し（Ｓ２０３）、プロッタ１０６のプリントエンジンに通知する（Ｓ２０４）。
【００２４】
次に、色仕分け処理プログラム中の精細解像度印刷判断プログラムが印刷するページが精細解像度印刷か否かをチェックする（Ｓ２０５）。印刷するページが精細解像度印刷である場合には、先に読み取った通常文書の出力色（Ｓ２０２で読み取った出力色）をチェックし（Ｓ２０６）、赤であれば印刷色を青として（Ｓ２０７の１）、赤以外であれば印刷色を赤として設定し（Ｓ２０７の２）、プロッタ１０６のプリントエンジンに通知する（Ｓ２０８）。そして給紙（Ｓ２０９）、印刷（Ｓ２１０）、排紙（Ｓ２１１）を行ない、これを最終ページ目まで繰り返し（Ｓ２１２の「ＮＯ」）、その文書の印刷を終了して次の受信を待つ（Ｓ２１２の「ＹＥＳ」）。
【００２５】
ステップＳ２０６で設定が出力色を変えない設定である場合には、給紙（Ｓ２０９）、印刷（Ｓ２１０）、排紙（Ｓ２１１）を行ない、これを最終ページ目まで繰り返し（Ｓ２１２の「ＮＯ」）、その文書の印刷を終了して次の受信を待つ（Ｓ２１２の「ＹＥＳ」）。
【００２６】
図１の第３実施形態を処理手順を図４のフローチャートにしたがって説明する。本実施形態では、通常文書の出力色は黒に設定されているものとし、また出力色を変える場合には出力色は赤に設定するものとする。
【００２７】
回線２００から画情報が受信される（Ｓ３０１）と、まず、印刷色を黒に設定し（Ｓ３０２）、プロッタ１０６のプリントエンジンに通知する（Ｓ３０３）。
【００２８】
次に、色仕分け処理プログラム中の精細解像度印刷判断プログラムが印刷するページが精細解像度印刷か否かをチェックする（Ｓ３０４）。印刷するページが精細解像度印刷である場合には、ヘッダ中の、精細解像度印刷時に出力色を変えるか否かの情報を読み取り（Ｓ３０５）、その情報が出力色を変える設定であるか否かをチェックする（Ｓ３０６）。当該設定が出力色を変える設定であったなら、印刷色を赤に設定し（Ｓ３０７）、エンジン側に通知する（Ｓ３０８）。そして給紙（Ｓ３０９）、印刷（Ｓ３１０）、排紙（Ｓ３１１）を行ない、これを最終ページ目まで繰り返し（Ｓ３１２の「ＮＯ」）、その文書の印刷を終了して次の受信を待つ（Ｓ３１２の「ＹＥＳ」）。
【００２９】
ステップＳ３０６で設定が出力色を変えない設定である場合には、給紙（Ｓ３０９）、印刷（Ｓ３１０）、排紙（Ｓ３１１）を行ない、これを最終ページ目まで繰り返し（Ｓ３１２の「ＮＯ」）、その文書の印刷を終了して次の受信を待つ（Ｓ３１２の「ＹＥＳ」）。
【００３０】
【発明の効果】
本発明によれば、精細解像度印刷が混在した受信文書印刷またはレポート印刷において、相手側から指定された出力色で出力することにより、相手側の都合に合せた状況にてユーザは各ページで精細解像度印刷が行なわれたかどうかを容易に識別できる。
【００３１】
また、本発明によれば、精細解像度印刷が混在した受信文書印刷またはレポート印刷において、受信データに精細解像度印刷時の出力色を盛り込むことなしに、相手側の都合に合せた状況にてユーザは各ページで精細解像度印刷が行なわれたかどうかを容易に識別できる。
【００３２】
さらに、本発明によれば、精細解像度印刷が混在した受信文書印刷またはレポート印刷において、相手側から指定された出力色を変えるかどうかの情報に基づいて出力色を変えることにより、さらに相手側の都合に合せた状況にてユーザは各ページで精細解像度印刷が行なわれたかどうかを容易に識別できる。
【図面の簡単な説明】
【図１】本発明の第１〜第３実施形態におけるファクシミリ装置を示すブロック図である。
【図２】第１実施形態を処理手順を示すフローチャートである。
【図３】第２実施形態を処理手順を示すフローチャートである。
【図４】第３実施形態を処理手順を示すフローチャートである。
【符号の説明】
１１　ファクシミリ装置
１０１　ＣＰＵ
１０２　ＲＯＭ
１０３　ＲＡＭ
１０４　ＣＣＵ
１０５　ＤＣＲ
１０６　プロッタ
１０７　ページメモリ
１００　内部バス
２００　外部回線
【図１】
2004032382.tif 000003
【図２】
2004032382.tif 000004
【図３】
2004032382.tif 000005
【図４】
2004032382.tif 000006